【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
映像信号を出力する映像出力部と、
初期画面として表示するグラフィック画像の初期画面データと、通常動作で使用される第２のＯＳと、当該第２のＯＳを起動する機能及び当該初期画面データの映像信号を前記映像出力部に出力させる機能を有する第１のＯＳと、を記憶する不揮発性記憶部と、
電源投入の指示の入力を受け付ける入力部と、
前記入力部が電源投入の指示の入力を受け付けた後に、前記不揮発性記憶部に記憶されている第１のＯＳを起動して、前記不揮発性記憶部に記憶されている初期画面データの映像信号を前記映像出力部に出力させるとともに、前記不揮発性記憶部に記憶されている第２のＯＳを起動する制御部と、を備え、
前記制御部は、前記第２のＯＳの起動後、前記映像出力部の初期化を行うこと
を特徴とする情報処理装置。
【請求項２】
前記第１のＯＳは、前記第２のＯＳの起動開始後に自身を停止する機能をさらに備え、
前記制御部は、前記第２のＯＳの起動開始後、前記第１のＯＳを停止すること
を特徴とする請求項１に記載の情報処理装置。
【請求項３】
前記映像出力部は、
映像信号を出力するタイミング信号を生成するタイミング生成部と、
予め定められた設定に従って、動画像とグラフィックス画像とを重畳して出力映像データを生成する、又は、動画像及びグラフィック画像の何れか一方を出力映像データとする重畳部と、
前記重畳部から与えられた出力映像データから映像信号を生成して、出力する出力部と、を備え、
前記制御部は、前記第２のＯＳの起動後、前記映像出力部の初期化を行う際に、前記タイミング生成部の初期化を行うこと
を特徴とする請求項１又は２に記載の情報処理装置。
【請求項４】
前記映像出力部は、
映像信号を出力するタイミング信号を生成するタイミング生成部と、
予め定められた設定に従って、動画像とグラフィックス画像とを重畳して出力映像データを生成する、又は、動画像及びグラフィック画像の何れか一方を出力映像データとする重畳部と、
前記重畳部から与えられた出力映像データから映像信号を生成して、出力する出力部と、を備え、
前記制御部は、前記第２のＯＳの起動後、前記映像出力部の初期化を行う際に、前記重畳部の初期化を行うこと
を特徴とする請求項１又は２に記載の情報処理装置。
【請求項５】
前記出力部は、前記重畳部から与えられた出力映像データを、デジタル信号の形式の映像信号又はアナログ信号の形式の映像信号にして出力すること
を特徴とする請求項３又は４に記載の情報処理装置。
【請求項６】
前記制御部は、前記第２のＯＳの起動後、前記タイミング生成部で生成されるタイミング信号に基づいて、ブランキング期間に前記映像出力部の初期化を行うこと
を特徴とする請求項３から５の何れか一項に記載の情報処理装置。
【請求項７】
前記制御部は、
前記第１のＯＳの起動後に、前記映像出力部を有効化してから、前記不揮発性記憶部に記憶されている初期画面データの映像信号を前記映像出力部に出力させること
を特徴とする請求項１から６の何れか一項に記載の情報処理装置。
【請求項８】
前記不揮発性記憶部は、前記第１のＯＳを起動する機能を有するブートローダをさらに記憶し、
前記制御部は、前記入力部が電源投入の指示の入力を受け付けた後に、前記不揮発性記憶部に記憶されているブートローダを実行することで、前記第１のＯＳを起動すること
を特徴とする請求項１から７の何れか一項に記載の情報処理装置。
【請求項９】
前記入力部が電源投入の指示の入力を受け付けたことを検知して、前記映像出力部、前記不揮発性記憶部及び前記制御部の初期化を行う初期化制御部をさらに備え、
前記制御部は、前記初期化制御部による初期化後に、前記不揮発性記憶部に記憶されているブートローダを実行すること
を特徴とする請求項８に記載の情報処理装置。
【請求項１０】
映像信号を出力する映像出力過程と、
電源投入の指示の入力を受け付ける入力過程と、
前記入力過程が電源投入の指示の入力を受け付けた後に、通常動作で使用される第２のＯＳを起動する機能及び初期画面として表示するグラフィック画像の初期画面データの映像信号を前記映像出力過程に出力させる機能を有する第１のＯＳを起動して、当該初期画面データの映像信号を前記映像出力過程に出力させる初期画面出力過程と、
前記第２のＯＳを起動する第２のＯＳ起動過程と、
前記第２のＯＳ起動過程における前記第２のＯＳの起動後、前記映像出力過程の初期化を行う映像出力初期化過程と、を有すること
を特徴とする起動方法。
【請求項１１】
前記第１のＯＳは、前記第２のＯＳの起動開始後に自身を停止する機能をさらに備え、
前記第２のＯＳ起動過程の開始後に、前記第１のＯＳを停止する第１のＯＳ停止過程をさらに有すること
を特徴とする請求項１０に記載の起動方法。
【請求項１２】
前記映像出力過程は、
映像信号を出力するタイミング信号を生成するタイミング生成過程と、
予め定められた設定に従って、動画像とグラフィックス画像とを重畳して出力映像データを生成する、又は、動画像及びグラフィック画像の何れか一方を出力映像データとする重畳過程と、
前記重畳過程から与えられた出力映像データから映像信号を生成して、出力する出力過程と、を含み、
前記映像出力初期化過程は、前記タイミング生成過程の初期化を行うこと
を特徴とする請求項１０又は１１に記載の起動方法。
【請求項１３】
前記映像出力過程は、
映像信号を出力するタイミング信号を生成するタイミング生成過程と、
予め定められた設定に従って、動画像とグラフィックス画像とを重畳して出力映像データを生成する、又は、動画像及びグラフィック画像の何れか一方を出力映像データとする重畳過程と、
前記重畳過程から与えられた出力映像データから映像信号を生成して、出力する出力過程と、を備え、
前記映像出力初期化過程は、前記重畳過程の初期化を行うこと
を特徴とする請求項１０又は１１に記載の起動方法。
【請求項１４】
前記出力過程は、前記重畳過程から与えられた出力映像データを、デジタル信号の形式の映像信号又はアナログ信号の形式の映像信号にして出力すること
を特徴とする請求項１２又は１３に記載の起動方法。
【請求項１５】
前記映像出力初期化過程は、前記タイミング生成過程で生成されるタイミング信号に基づいて、ブランキング期間に行われること
を特徴とする請求項１２から１４の何れか一項に記載の起動方法。
【請求項１６】
前記初期画面出力過程は、前記第１のＯＳの起動後、前記映像出力過程を有効にしてから、前記初期画面データの映像信号を前記映像出力過程に出力させること
を特徴とする請求項１０から１５の何れか一項に記載の起動方法。
【請求項１７】
前記初期画面出力過程は、前記入力過程が電源投入の指示の入力を受け付けた後に、前記第１のＯＳを起動させる機能を有するブートローダを実行することで、前記第１のＯＳを起動すること
を特徴とする請求項１０から１６の何れか一項に記載の起動方法。
【請求項１８】
前記入力過程が電源投入の指示の入力を受け付けたことを検知して、前記映像出力過程及び前記初期画面出力過程の初期化を行う初期化制御過程をさらに有し、
前記初期画面出力過程は、前記初期化制御過程による初期化後に、前記ブートローダを実行すること
を特徴とする請求項１７に記載の起動方法。
【手続補正２】
【補正対象書類名】明細書
【補正対象項目名】００１１
【補正方法】変更
【補正の内容】
【００１１】
本発明の一態様に係る情報処理装置は、映像信号を出力する映像出力部と、初期画面として表示するグラフィック画像の初期画面データと、通常動作で使用される第２のＯＳと、当該第２のＯＳを起動する機能及び当該初期画面データの映像信号を前記映像出力部に出力させる機能を有する第１のＯＳと、を記憶する不揮発性記憶部と、電源投入の指示の入力を受け付ける入力部と、前記入力部が電源投入の指示の入力を受け付けた後に、前記不揮発性記憶部に記憶されている第１のＯＳを起動して、前記不揮発性記憶部に記憶されている初期画面データの映像信号を前記映像出力部に出力させるとともに、前記不揮発性記憶部に記憶されている第２のＯＳを起動する制御部と、を備え、前記制御部は、前記第２のＯＳの起動後、前記映像出力部の初期化を行うことを特徴とする。
【手続補正３】
【補正対象書類名】明細書
【補正対象項目名】００１２
【補正方法】変更
【補正の内容】
【００１２】
本発明の一態様に係る起動方法は、映像信号を出力する映像出力過程と、電源投入の指示の入力を受け付ける入力過程と、前記入力過程が電源投入の指示の入力を受け付けた後に、通常動作で使用される第２のＯＳを起動する機能及び初期画面として表示するグラフィック画像の初期画面データの映像信号を前記映像出力過程に出力させる機能を有する第１のＯＳを起動して、当該初期画面データの映像信号を前記映像出力過程に出力させる初期画面出力過程と、前記第２のＯＳを起動する第２のＯＳ起動過程と、前記第２のＯＳ起動過程における前記第２のＯＳの起動後、前記映像出力過程の初期化を行う映像出力初期化過程と、を有することを特徴とする。
【手続補正４】
【補正対象書類名】明細書
【補正対象項目名】００３４
【補正方法】変更
【補正の内容】
【００３４】
図２に戻り、重畳部１０６ｂは、予め定められた設定に従って、端子１０６ｄから入力されるグラフィック画像と、端子１０６ｅから入力される動画像とを重畳して出力映像データを生成する。または、重畳部１０６ｂは、予め定められた設定に従って、端子１０６ｄから入力されるグラフィック画像及び端子１０６ｅから入力される動画像の何れか一方を出力映像データとする。
図４は、グラフィック画像と動画像とが重畳された映像の一例を示す概略図である。図４に示されているように、重畳後の映像ＩＭ１は、グラフィック画像表示領域ＡＲ１と、動画像表示領域ＡＲ２とを備える。グラフィック画像表示領域ＡＲ１には、端子１０６ｄから入力されるグラフィック画像が表示され、動画像表示領域ＡＲ２には、端子１０６ｅから入力される動画像が表示される。情報処理装置１００のユーザの操作に応じて、動画像のみが表示されることもあり、また、グラフィック画像のみが表示されることもある。また、図４では、グラフィック画像と動画像とがそれぞれ１つずつ重畳されているが、複数のグラフィック画像と、複数の動画像とが重畳されてもよい。